(57)【要約】【課題】検出範囲の狭い検出素子を用いるとともに、枠体の肉厚にムラが生じにくい移動物体検出器を提供せんとするものである。【解決手段】底部２２を備えるとともに所定方向に開口する空間部２１を有する枠体２と、被検出体８の移動状態を検出する検出素子３１とこの検出素子３１を搭載し空間部２１内に収納される回路基板５と、この回路基板５を空間部２１内に封止するように空間部２１内に充填形成される封止剤７とを備え、検出素子３１が対向する底部２２に底部２２の他の部分より肉厚の薄い肉薄部２３を形成したものである。【選択図】　図１
2004093323.tif 000002
【特許請求の範囲】
【請求項１】
底部を備えるとともに所定方向に開口する空間部を有する枠体と、被検出体の移動状態を検出する検出素子とこの検出素子を搭載し前記空間部内に収納される回路基板と、この回路基板を前記空間部内に封止するように前記空間部内に充填される封止剤とを備え、前記検出素子が対向する前記底部に前記底部の他の部分より肉厚の薄い肉薄部を形成したことを特徴とする移動物体検出器。
【発明の詳細な説明】
【０００１】
【発明の属する技術分野】
本発明は、例えば被検出体の移動状態を検出する例えば磁気変換素子のごとき検出素子が搭載された回路基板を枠体内に収納した後、枠体内に封止剤を充填することで封止してなる移動物体検出器に関する。
【０００２】
【従来の技術】
従来、例えば車両のトランスミッションには、車両速度や距離を計測する回転センサが搭載されており、この種の回転センサとして、トランスミッションの歯車等からなる被検出体の移動距離や移動速度（回転移動を行う移動物体の移動状態）を検出する移動物体検出器が適用されている。
【０００３】
このような移動物体検出器は、例えば特開平９−１５２３０４号公報に開示されているように、ホールＩＣ等からなる検出素子（磁気変換素子）と、この検出素子に磁場を与える磁石とからなる検出体を搭載した回路基板を合成樹脂製の枠体内に収納した後に、回路基板を収納した枠体内にエポキシ系合成樹脂からなる封止剤を充填・固化して封止し、このように枠体内に液密的に封止固定された検出体は枠体を挟んで被検出体と対向するように配置され、被検出体の移動状態を検出するものである。
【０００４】
この場合、検出体は合成樹脂からなるホルダを通じて回路基板に装着されており、ホルダは略半円柱状に形成され磁石を収納するための凹部と、検出素子を位置決め保持するための位置決め部とを有している。そして、検出体は回路基板の板面に対して垂直面に設定され、被検出体と対向するようにホルダを回路基板に挿入することで検出素子を適正位置に配設するものであった。
【０００５】
【発明が解決しようとする課題】
しかしながら、コストを削減するために安価な検出素子を採用すると、従来の検出素子と比較して検出範囲が狭く、従来の移動体検出器の枠体の厚みでは、検出素子と被検出体との距離が離れてしまい、検出素子が被検出体を確実に検出することができなくなる虞があった。そこで、検出素子と被検出体間の枠体の肉厚を薄くし、検出素子と被検出体との距離を小さくすることが考えられるが、合成樹脂からなる枠体の肉厚をあまり薄くすると、枠体の成形条件によっては、枠体の肉厚にムラが生じるなどの虞があった。
【０００６】
そこで、本発明は、この点に鑑みてなされたもので、その主な目的は、検出範囲の狭い検出素子を用いることができるとともに、枠体の肉厚にムラが生じにくい移動物体検出器を提供せんとするものである。
【０００７】
【課題を解決するための手段】
本発明は前記目的を達成するため、底部を備えるとともに所定方向に開口する空間部を有する枠体と、被検出体の移動状態を検出する検出素子とこの検出素子を搭載し前記空間部内に収納される回路基板と、この回路基板を前記空間部内に封止するように前記空間部内に充填される封止剤とを備え、前記検出素子が対向する前記底部に前記底部の他の部分より肉厚の薄い肉薄部を形成したものである。
【０００８】
【発明の実施の形態】
本発明の移動物体検出器は、底部２２を備えるとともに所定方向に開口する空間部２１を有する枠体２と、被検出体８の移動状態を検出する検出素子３１とこの検出素子３１を搭載し空間部２１内に収納される回路基板５と、この回路基板５を空間部２１内に封止するように空間部２１内に充填形成される封止剤７とを備え、検出素子３１が対向する底部２２に底部２２の他の部分より肉厚の薄い肉薄部２３を形成したものである。このように構成したことにより、検出範囲の狭い検出素子３１を用いることができるとともに、枠体２の肉厚にムラが生じにくい移動物体検出器１を提供することができる。
【０００９】
【実施例】
図１から図５は本発明の実施例を示すもので、以下、本発明を例えば車両用回転センサからなる移動物体検出器に適用した場合について説明する。
【００１０】
本実施例の移動動物体検出器１は、図１に示すように、略円筒状の枠体２と、検出体３並びに各種の回路部品４を実装した回路基板５と、回路基板５上に配設され検出体３を保持するホルダ６と、検出体３及び回路部品４を有する回路基板５を枠体２内に固定するための封止剤７とから構成されている。
【００１１】
枠体２は合成樹脂材料、例えばＰＰＳ（ポリフェニレンサルファイド），ＰＢＴ（ポリブチレンテレフタレート）からなり、その外周適宜箇所には、図示しないトランスミッション等にビス等にて取付固定するための取付片（図示しない）が形成されている。
【００１２】
また枠体２は、例えば、前記トランスミッションの回転軸と同期して回転するギヤ歯型の回転体からなる被検出体８が配置される側を底部２２にて閉塞するとともに、反対側が開口する空間部２１を備えている。
【００１３】
空間部２１の内壁には、後で詳述する回路基板５を枠体２の底部２２まで案内支持する図示しないガイドが２つ設けられており、前記取付片と前記ガイドは枠体２に一体形成されている。このような枠体２は、被検出体８の形状に応じた底部２２を有するもので、この底部２２の肉厚は、枠体２の筒部などの他の部分の肉厚に対し肉薄となるように形成されている。また、本実施例では、この底部２２の検出体３の検出素子３１に対応する部分の肉厚を、底部２２の他の部分の肉厚より薄い肉薄部２３を形成してある。この肉薄部２３は、本実施例では、図示していないが、検出素子３１の形状とほぼ同等の円形をしている。
【００１４】
検出体３は、ホールＩＣまたはＭＲ素子からなる検出素子（磁気変換素子）３１と、磁気変換素子３１に磁場を与える磁石３２とからなり、磁気変換素子３１は半田付け等の手段により回路基板５に導通固定されると共に後で詳述するホルダ６によって位置決め保持され、また磁石３２はホルダ６を通じて回路基板５に取り付けられている。
【００１５】
回路部品４は例えば磁気変換素子３１をノイズ等から保護するコンデンサ、または抵抗、ダイオード等の電子部品からなり半田付けにより回路基板５に導通固定されている。
【００１６】
回路基板５は、図３に示すように、外部から入力される電源用及び磁気変換素子３１の出力用の電気コード９を半田付けにより導通接続するための電気コード挿通孔５１と、ホルダ６を枠体２の空間部２１に配設する際に、前記ガイドによって配設位置を決定するために第１の当接部５２と、後述する腕片６７と当設する第２の当接部５３とを備えている。
【００１７】
ホルダ６は、図４，図５に示すように、樹脂材料からなり、回路基板５に対して略水平面となる載置面６１を有した略半円柱形状に形成されている。またホルダ６の両端面６２，６３は載置面６１に対して略垂直面となるように形成されている。
【００１８】
そして、端面６２には検出体３を配設するための保持部６３が形成され、保持部６３は検出体３の磁石３２を収納するための凹部形状からなる磁石収納部６４と、この磁石収納部６４の図４中左側に形成され、検出体３の磁気変換素子３１を配設した際に端面６２より磁気変換素子３１の検出面が突出するものであり、且つ磁気変換素子３１の検出面を枠体２の底部２２の肉薄部２３に当接させるための段差部６５が形成されている。
【００１９】
さらに、段差部６５には磁気変換素子３１の配設位置を決定し、且つ磁気変換素子３１を保持するための素子保持部６６が形成されている。
【００２０】
またホルダ６は、載置部６１から一体に形成され断面形状が略Ｌ字状の一対の腕片（規定部）６７を備え、この腕片６７に回路基板５を挿入し、回路基板５の第２の当接部５３と腕片６７の側面が当接することによりホルダ６を回路基板５上に位置を決めて配設するものである。
【００２１】
封止剤７は、枠体２の前記ガイドに沿って空間部２１内に案内支持される回路基板５を枠体２内に固定して封止するように枠体２内に例えばエポキシ系合成樹脂からなる充填剤を充填した後、固化してなり、本実施例の場合、封止剤７は枠体２の空間部２１全体を満たすよう充填形成され、検出体３やホルダ６が配設された回路基板５を安定的に固定すると共に液密状態を保持する。
【００２２】
次に、かかる構成における移動物体検出器１の製造方法ついて説明する。例えば移動物体検出器１の構成部品として磁気変換素子３１を用いて被検出体８の移動状態を検出する場合には、ホルダ６の磁石収納部６４に磁石３２を収納した後、ホルダ６の段差部６５に形成された素子保持部６６に磁気変換素子３１を位置決め保持する。
【００２３】
その後、ホルダ６の腕片６７に回路部品４が実装された回路基板５の第２の当接部５３が当接するまで回路基板５を挿入させ、磁気変換素子３１のリード３１ａを回路基板５の裏面に設けたランド部（図示しない）に半田付けする。この場合、磁気変換素子３１は回路基板５を空間部２１内に収納したときに底部２２の肉薄部２３と向かい合うように配設されると同時にホルダ６を通じて回路基板５上に配設される。
【００２４】
そして、回路基板５の電気コード挿通孔５１に電気コード９を挿通し、回路基板５の裏面に設けたランド部（図示しない）に半田付けする。そして、回路基板５を枠体２の前記ガイドに沿わせ、回路基板５の端部を専用の冶具により所定の圧力を与えた状態で押圧し、回路基板５の第１の当接部５２を前記ガイドの終端に当接させ、枠体２に対して回路基板５に配設されている磁気変換素子３１の位置を仮固定する。その後、枠体２内に封止剤７を充填し、固化させることで枠体２に対し磁気変換素子３１を配設固定する。以上により移動物体検出器１が完成する。
【００２５】
このように構成された移動物体検出器１は、磁気変換素子３１に対応する枠体２の検出面２３が被検出体８に対向するよう、前述のごとくトランスミッション等に取付固定され、被検出体８の移動状態を磁気変換素子３１にて電気信号に変換し、この変換された電気信号を電気コード９を通じて外部に出力するものである。
【００２６】
かかる実施例においては、検出体３１が対向する底部２２の対応部分に、底部２２の他の部分より肉厚の薄い肉薄部２３を形成したものである。
【００２７】
従って、検出範囲が狭い安価な検出素子３１を用いても、確実に被検出体８を検出することができるとともに、枠体２の底部２２の検出素子３１に対応する肉薄部２３のみの肉厚を薄くしたことで、枠体２の底部２２全体の肉厚のムラを抑えることができ、ひいては、肉厚の薄い部分が肉薄部２３のみとなり、枠体２の底部２２の他の部分の肉厚は厚くすることができ、強度を向上させることもできる。
【００２８】
なお、前記実施例では、検出素子３１を回路基板５に搭載するために、ホルダ６を必要としていたが、検出素子３１の形状や回路基板５への磁石３２の搭載方法によっては、ホルダ６を用いなくともよい。
【００２９】
【発明の効果】
以上、本発明によれば、初期の目的を達成することができ、検出範囲の狭い検出素子を用いることができるとともに、枠体の肉厚にムラが生じにくい移動物体検出器を提供することができる。
【図面の簡単な説明】
【図１】本発明の一実施例の移動物体検出器の断面図。
【図２】同実施例の要部拡大断面図。
【図３】同実施例の回路基板の正面図。
【図４】同実施例のホルダの断面図。
【図５】同実施例のホルダを図４中の矢印Ａ方向から見たときの図。
【符号の説明】
１　　移動物体検出器
２　　枠体
３　　検出体
５　　回路基板
６　　ホルダ
７　　封止剤
８　　被検出体
２１　　空間部
２２　　底部
２３　　肉薄部
３１　　磁気変換素子（検出素子）
３２　　磁石
【図１】
2004093323.tif 000003
【図２】
2004093323.tif 000004
【図３】
2004093323.tif 000005
【図４】
2004093323.tif 000006
【図５】
2004093323.tif 000007